(57)【要約】【課題】電子機器の動作モードや各種設定を行うための操作部材としてより安価で組立性の良いダイヤル装置を提供する。【解決手段】ベース部材と、前記ベース部材の孔部に嵌合し、回転操作可能なダイヤル部材と、前記ダイヤル部材の回転中心に電極パターンが同心円状に形成された電気基板と、前記ダイヤル部材と一体的に回転可能であり、前記電極パターンに接触する電気接片とを有し、前記ベース部材の孔部には、固定カム面があり、前記ダイヤル部材には、所定の位相に鋼球とコイルばねとを収容する空間があり、前記ダイヤル部材に所定の位相で組まれる前記電気接片には、前記ベース部材の孔部よも大きい外形があり、前記ベース部材に対して、前記ダイヤル部材は外側から組み、前記電気接片は内側から組むように構成される。【選択図】  図２（ｂ）
2013206662.tif 000002
【特許請求の範囲】
【請求項１】
ベース部材（６）と、
前記ベース部材の孔部（６１）に嵌合し、回転操作可能なダイヤル部材（７１）と、
前記ダイヤル部材の回転中心に電極パターンが同心円状に形成された電気基板（７７）と、
前記ダイヤル部材と一体的に回転可能であり、前記電極パターンに接触する電気接片（７４）とを有し、
前記ベース部材の孔部には、固定カム面（６２）があり、
前記ダイヤル部材には、所定の位相に鋼球（７２）とコイルばね（７３）とを収容する空間（７１ｂ）があり、
前記ダイヤル部材に所定の位相で組まれる前記電気接片には、前記ベース部材の孔部よも大きい外形があり、
前記ベース部材に対して、前記ダイヤル部材は外側から組み、前記電気接片は内側から組むように構成されることを特徴とする情報設定装置。
【請求項２】
ベース部材（６）と、
前記ベース部材の孔部（６１）に嵌合し、回転操作可能なダイヤル部材（７１）と、
前記ダイヤル部材の回転中心に電極パターンが同心円状に形成された電気基板（７７）と、
前記ダイヤル部材と一体的に回転可能であり、前記電極パターンに接触する電気接片（７４）とを有し、
前記ベース部材の孔部には、固定カム面（６２）があり、
前記ダイヤル部材には、所定の位相に鋼球（７２）とコイルばね（７３）とを収容する空間（７１ｂ）があり、
前記ダイヤル部材に所定の位相で組まれる前記電気接片には、前記空間に対向する領域に開口部（７４ａ）と、前記ベース部材の孔部よも大きい外形があり、
前記ベース部材に対して、前記ダイヤル部材は外側から組み、前記電気接片は内側から組むように構成されることを特徴とする情報設定装置。
【発明の詳細な説明】
【技術分野】
【０００１】
本発明は、カメラや携帯情報端末等の電子機器に備えられる情報設定装置に関し、詳しくはクリック感を有するダイヤル装置に関する。
【背景技術】
【０００２】
デジタルカメラやビデオカメラ、携帯情報端末といった電子機器には、動作モードや各種設定を行うための操作部材としてダイヤル装置が設けられている場合が多い。
【０００３】
ダイヤル装置には、機器本体に電極パターンを設けた基板を固定するとともに、ダイヤルに板ばね状の電気接片を固定し、ダイヤルの回転に応じて上記電極パターンに対して摺動するように構成されているものがある。このダイヤル装置では、電極パターンと電気接片との通電状態を検出することによって、ダイヤルの回転方向や回転量を検出する。
【０００４】
このような電子機器の操作部材において、使用者の使用感を向上し、確実に操作されていることを確認させるために、クリック感を発生させる機構を備えたものが種々提案されている。
【０００５】
例えば、特許文献１に記載のような操作部材は、円盤部および操作部よりなる切換ツマミの凸部を外装部材の孔に挿入して電気接片を介してネジを螺合することにより取り付けられる。ここで、切換ツマミは、上記操作部のカメラ内面側に設けられた溝と、この溝と上記円盤部を連通する挿入孔を有しており、この挿入孔からクリック感を発生するための鋼球およびコイルばねが挿入される。その後、この挿入孔にカバー部材を嵌合接着することにより組み付けられる。そして、上記外装部材には、上記鋼球が当接して摺動し、クリック感を発生するための固定カム面が設けられ構成されている。
【０００６】
また、例えば、特許文献２に記載のような操作部材は、ダイヤル部材の回転方向のクリック手段として、その回転軸と嵌合する孔が開いた外装部材の軸受け部外周に設けた固定カム面と、前記ダイヤル側に収納された鋼球とコイルばねとより成るクリック部材とから構成され、この鋼球とコイルばねの力の作用方向は、ダイヤル部材の回転軸と直交する方向に配置したものがある。
【先行技術文献】
【特許文献】
【０００７】
【特許文献１】特開平８−９５１３２号公報
【特許文献２】特開２００１−２４２５２０号公報
【発明の概要】
【発明が解決しようとする課題】
【０００８】
しかしながら、上述の特許文献１に開示された従来技術では、鋼球およびコイルばねが挿入された後、この挿入孔にカバー部材を嵌合接着する必要があり、部品点数が多く、高価なものとなっていた。
【０００９】
また、特許文献２に開示された従来技術では、クリックのための鋼球とコイルばねがテンションのある状態で、ダイヤルの回転方向と回転量を検知する電気接片と押さえ板と一緒にビス締めしてダイヤルに固定しなければならないため、組立作業性がに問題があった。
【００１０】
そこで、本発明の目的は、少ない部品点数で構成され安価で、かつ、組立作業性の良いダイヤル装置を提供することである。
【課題を解決するための手段】
【００１１】
上記目的を達成するために、本発明は、ベース部材と、前記ベース部材の孔部に嵌合し、回転操作可能なダイヤル部材と、前記ダイヤル部材の回転中心に電極パターンが同心円状に形成された電気基板と、前記ダイヤル部材と一体的に回転可能であり、前記電極パターンに接触する電気接片とを有し、前記ベース部材の孔部には、固定カム面があり、前記ダイヤル部材には、所定の位相に鋼球とコイルばねとを収容する空間があり、前記ダイヤル部材に所定の位相で組まれる前記電気接片には、前記ベース部材の孔部よも大きい外形があり、前記ベース部材に対して、前記ダイヤル部材は外側から組み、前記電気接片は内側から組むように構成される。
【発明の効果】
【００１２】
本発明によれば、電子機器の動作モードや各種設定を行うための操作部材であるダイヤル装置のダイヤル部材を回転板である電気接片で抜け止めできる。さらに、電気接片でクリック手段の押えを兼ねることが可能になり、電気接片に形成された孔部から鋼球とコイルばねを挿入できるため、より安価で組立性の良いダイヤル装置を提供できる。
【図面の簡単な説明】
【００１３】
【図１】本発明の第１の実施形態を示したデジタルカメラの斜視図である。
【図２（ａ）】本発明の実施形態を示したデジタルカメラの後方から見た図である。
【図２（ｂ）】本発明の実施形態を示した要部断面図である。
【図３（ａ）】本発明の実施形態を示した分解斜視図である。
【図３（ｂ）】本発明の実施形態を示した要部拡大斜視図である。
【図４】本発明の第２の実施形態を示した要部断面図である。
【発明を実施するための形態】
【００１４】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１５】
［実施例１］
図１から図３を用いて、本発明の第１の実施形態を搭載している電子機器の一実施形態であるデジタルカメラを説明する。
【００１６】
図１（ａ）は本実施例のデジタルカメラを前方（被写体側）から見た斜視図である。図１（ｂ）は本実施例のデジタルカメラを後方（撮影者側）から見た斜視図である。
【００１７】
図１（ａ）と図１（ｂ）において、１はデジタルカメラ本体であり、２は撮影画像等を確認可能な表示装置ユニットである。表示装置ユニット２は、例えば３．０インチ程度のＴＦＴ液晶パネルなどから構成されている。ここで、表示装置ユニット２は、撮影時にビューファインダーとしても利用可能となっている。３はヒンジ機構であり、表示装置ユニット２はヒンジ機構３により回転し、デジタルカメラ本体１に対して開閉可能に結合されている。ヒンジ機構３の第１の回転中心軸Ａにより回転し、表示装置ユニット２が開いている状態で、さらにヒンジ機構３の第２の回転中心軸Ｂにより回転をさせることで、撮影者はより自由なアングルにて撮影を行うことができる。４はグリップ部であり、撮影時等にデジタルカメラ本体１を保持する際に把持する場所である。５はデジタルカメラ本体１にレンズ鏡筒を交換可能に取り付ける際のレンズマウント部である。
【００１８】
以下、本発明の構成要素について更に詳しく説明する。
【００１９】
図２（ａ）は本実施例のデジタルカメラを後方（撮影者側）から見た図である。図２（ｂ）は、図２（ａ）のダイヤル装置のＡＡ断面位置における断面図である。
【００２０】
図２（ａ）において、６はデジタルカメラ１の外装カバーの一つであるバックカバーであり、７はバックカバー６に取り付けられている情報設定装置であるダイヤル装置である。ダイヤル装置７は、撮影時にカメラの連写モードやシャッター速度またはレンズの絞り値を設定するのに用いられる。８は方向指示装置であり、撮影時に自動合焦装置の測距位置を選択する際に用いられる。また、９は確定釦であり、方向指示装置により選択された測距位置を確定させるものである。
【００２１】
図２（ｂ）において、７１はダイヤルであり、７１ａはダイヤル７１に設けられた凸部であり、バックカバー６の孔部６１と嵌合する軸である。この軸７１ａとバックカバー６の孔部６１とが摺動することでダイヤル７１は回転可能になっている。軸７１ａには後述する鋼球７２とコイルばね７３とを配設するための空間７１ｂが設けられている。
【００２２】
ここで、７１ｃは方向指示装置８と確定釦９の収容部であり、方向指示装置８と確定釦９は既知の技術のためここでは説明を省略する。
【００２３】
７４はダイヤル７１の回転方向と回転量をフレキシブルプリント基板７７上を摺動して基板上の２つのパターンをショートさせることで検知する金属製の電気接片である。７５はダイヤル７１をバックカバー６を挟んで電気接片７４と共にサンドイッチ状に挟んで、ダイヤル７１がバックカバー６から抜け落ちるのを防止する押さえ板である。押さえ板７５はねじ７６でダイヤル７１に螺合させることにより取り付けられている。ここで、押さえ板７５を用いずに直接接片７４をダイヤル７１に取り付けても構わない。
【００２４】
ここで、７８はフレキシブルプリント基板７７の金属製の支え板であり、基板上のパターンの平面性を確保するためのものである。フレキシブルプリント基板７７は支え板７８に貼付されており、支え板７８は、バックカバー６に取り付けられている。
【００２５】
次に、ダイヤル７１の空間７１ｂに収納された鋼球７２とコイルばね７３は、ダイヤル７１と一緒に回転する。バックカバー６の孔部６１の内周にはダイヤル７１が回転したときの位置を決定するためのクリック用の固定カム部６２が設けられており、鋼球７２はコイルばね７３によりカム部６２方向に付勢されている。ダイヤル７１が回転すると、コイルばね７３に付勢された鋼球７２はカム部６１に転動可能に接触し、鋼球７２がカム部６１の谷に嵌合した位置にきたときにダイヤル７１はストップする。
【００２６】
このようにして、使用者は確実に操作されたことを確認できる。
【００２７】
図３（ａ）は、バックカバー６を含むバックカバーユニットの分解斜視図である。図３（ｂ）は、図３（ａ）の要部拡大図である。
【００２８】
図３（ａ）と図３（ｂ）において、電気接片７４と押さえ板７５には、それぞれ鋼球７２とコイルばね７３とを挿入可能な孔部７４ａと７５ａが設けられている。
【００２９】
上述したように、ダイヤル７１はバックカバー６を挟んで電気接片７４と押さえ板７５をねじ７６をダイヤル７１に螺合させることにより取り付けられている。ここで、押さえ板を用いずに直接接片７４をダイヤル７１に取り付けても構わない。
【００３０】
次に、ダイヤル７１には、鋼球７２とコイルばね７３とを配設するための空間７１ｂが設けられている。ここで、孔部７４ａと７５ａは、ダイヤル７１の空間７１ｂと対向する位置に設けられており、孔部７４ａと７５ａから鋼球７２とコイルばね７３とを挿入することが可能となっている。ここで、孔部７４ａはコイルばね７３を圧縮した長さよりは大きく、コイルばね７３が伸張した長さよりは小さくなっており、鋼球７２とコイルばね７３とを挿入後、抜け落ちないようになっている。
【００３１】
したがって、ダイヤル７１は、クリックのための鋼球７２とコイルばね７３がテンションのない状態でバックカバー６に組まれた後に、鋼球７２とコイルばね７３とを挿入できるため、組立性が向上する。
【００３２】
［実施例２］
次に、図４を用いて第２の実施形態について説明する。図４において、実施例１と同等のものは同じ番号で示している。
【００３３】
図４は、図２（ｂ）と同様にダイヤル装置のＡＡ断面位置における断面図である。
【００３４】
図４において、１０はダイヤルベース部材であり、バックカバー６の孔部６１に嵌合している。１１は、両面テープであり、ダイヤルベース部材１０をバックカバー６に仮固定するとともに防滴部材としても使われるものである。７１はダイヤルであり、７１ａはダイヤル７１に設けられた凸部であり、ダイヤルベース部材１０の孔部１０１と嵌合する軸である。この軸７１ａとダイヤルベース部材１０の孔部１０１とが摺動することでダイヤル７１は回転可能になっている。軸７１ａには後述する鋼球７２とコイルばね７３とを配設するための空間７１ｂが設けられている。
【００３５】
ここで、７１ｃは方向指示装置８と確定釦９の収容部であり、方向指示装置８と確定釦９は既知の技術のためここでは説明を省略する。
【００３６】
７４はダイヤル７１の回転方向と回転量をフレキシブルプリント基板７７上を摺動して基板上の２つのパターンをショートさせることで検知する金属製の電気接片である。７５はダイヤル７１をダイヤルベース部材１０を挟んで電気接片７４と共にサンドイッチ状に挟んで、ダイヤル７１がダイヤルベース部材１０から抜け落ちるのを防止する押さえ板である。押さえ板７５はねじ７６でダイヤル７１に螺合させることにより取り付けられている。ここで、押さえ板を用いずに直接接片７４をダイヤル７１に取り付けても構わない。
【００３７】
ここで、７８はフレキシブルプリント基板７７の金属製の支え板であり、基板上のパターンの平面性を確保するためのものである。フレキシブルプリント基板７７は支え板７８に貼付されており、支え板７８は、ダイヤルベース部材１０を挟んでバックカバー６に取り付けられている。ここで、支え板７８とダイヤルベース部材１０は別々にバックカバー６に取り付けられても構わない。
【００３８】
次に、ダイヤル７１の空間７１ｂに収納された鋼球７２とコイルばね７３は、ダイヤル７１と一緒に回転する。ダイヤルベース部材１０の孔部１０１の内周にはダイヤル７１が回転したときの位置を決定するためのクリック用の固定カム部１０２が設けられており、鋼球７２はコイルばね７３によりカム部方向に付勢されている。ダイヤル７１が回転すると、コイルばね７３に付勢された鋼球７２はカム部６１に転動可能に接触し、鋼球７２がカム部６１の谷に嵌合した位置にきたときにダイヤル７１はストップする。
【００３９】
このようにして、使用者は確実に操作されたことを確認できる。
【００４０】
電気接片７４と押さえ板７５には、それぞれ鋼球７２とコイルばね７３とを挿入可能な孔部７４ａと７５ａが設けられている。
【００４１】
上述したように、ダイヤル７１はバックカバー６を挟んで電気接片７４と押さえ板７５をねじ７６をダイヤル７１に螺合させることにより取り付けられている。ここで、押さえ板を用いずに直接接片７４をダイヤル７１に取り付けても構わない。
【００４２】
次に、ダイヤル７１には、鋼球７２とコイルばね７３とを配設するための空間７１ｂが設けられている。ここで、孔部７４ａと７５ａは、ダイヤル７１の空間７１ｂと対向する位置に設けられており、孔部７４ａと７５ａから鋼球７２とコイルばね７３とを挿入することが可能となっている。ここで、孔部７４ａはコイルばね７３を圧縮した長さよりは大きく、コイルばね７３が伸張した長さよりは小さくなっており、鋼球７２とコイルばね７３とを挿入後、抜け落ちないようになっている。
【００４３】
したがって、ダイヤル７１はダイヤルベース部材１０が取り付けられたバックカバー６に組まれた後に、鋼球７２とコイルばね７３とを挿入できるため、コイルばね７３のテンションがなく組立性が向上する。
【００４４】
以上、本発明の好ましい実施形態について説明したが、本発明はこれらの実施形態に限定されず、その要旨の範囲内で種々の変形及び変更が可能である。
【符号の説明】
【００４５】
１  デジタルカメラ本体
２  表示装置ユニット
３  ヒンジ機構
４  グリップ部
５  レンズマウント部
６  バックカバー
７  ダイヤル
８  方向指示装置
９  確定釦
１０  ダイヤルベース部材
１１  両面テープ
【図１】
2013206662.tif 000003
【図２（ａ）】
2013206662.tif 000004
【図２（ｂ）】
2013206662.tif 000005
【図３（ａ）】
2013206662.tif 000006
【図３（ｂ）】
2013206662.tif 000007
【図４】
2013206662.tif 000008